(57)【要約】【課題】除毛をしながら肌等の殺菌処理を可能にすることができる除毛機器を提供する。【解決手段】紫外線を発光する第１ＵＶＬＥＤ９ａを刃ヘッド部３の正面３ａに設けた。また、紫外線を発光する第２ＵＶＬＥＤ９ｂを刃ヘッド部３の背面３ｃに設けた。そして、体毛を除毛しながら、第１ＵＶＬＥＤ９ａを点灯させて、刈り取られる前の体毛の殺菌し、第２ＵＶＬＥＤ９ｂを点灯させて、刈り取られた後の肌を殺菌する。【選択図】図２
2010213832.tif 000002
【特許請求の範囲】
【請求項１】
把持部と、
除毛を行うための刃ブロックを着脱可能の取着した刃ヘッド部と、
前記刃ブロックを駆動させるための駆動手段と
を備えた除毛機器であって、
前記刃ヘッド部に殺菌灯を設けたことを特徴とする除毛機器。
【請求項２】
請求項１に記載の除毛機器において、
前記殺菌灯は、前記刃ヘッド部の外側面であって、除毛する方向に対して反対側の方向の面に設けたことを特徴とする除毛機器。
【請求項３】
請求項１又は２に記載の除毛機器において、
前記殺菌灯は、前記刃ヘッド部の外側面であって、除毛する方向の面に設けたことを特徴とする除毛機器。
【請求項４】
請求項１〜３のいずれか１に記載の除毛機器において、
前記殺菌灯は、出射する光の出射方向を調整する角度調整手段を設けたことを特徴とする除毛機器。
【請求項５】
請求項１〜４のいずれか１に記載の除毛機器において、
前記駆動手段を駆動させるためのスイッチと、
前記スイッチのオン操作に基づいて前記駆動手段を駆動及び前記殺菌灯を点灯させるとともに、前記スイッチのオフ操作に基づいて前記駆動手段を駆動停止及び前記殺菌灯を消灯させる制御手段と
を備えたことを特徴とする除毛機器。
【請求項６】
請求項５に記載の除毛機器において、
前記制御手段は、タイマを備え、前記スイッチのオフ操作に基づいて前記駆動手段を駆動停止させるとともに、前記タイマを計時動作させ、前記タイマが予め定めた時間を計時した時、前記殺菌灯を消灯させることを特徴とする除毛機器。
【請求項７】
請求項１〜６のいずれか１に記載の除毛機器において、
前記殺菌灯の発光量を調整する調整スイッチと、
前記調整スイッチの操作量に基づいて、前記殺菌灯の点灯時の発光量を制御する発光量制御手段と
を備えたことを特徴とする除毛機器。
【発明の詳細な説明】
【技術分野】
【０００１】
本発明は、除毛機器に関する。
【背景技術】
【０００２】
電気カミソリ、医療用の電動式トリマー等の除毛機器は、殺菌処理された衛生的物を使用するのが好ましい。そのため、電気カミソリにおいて、刃ヘッド部を殺菌する殺菌灯を備えたものが提案されている（特許文献１）。
【先行技術文献】
【特許文献】
【０００３】
【特許文献１】特開２００７−１６７３３７号公報
【発明の概要】
【発明が解決しようとする課題】
【０００４】
ところで、手術において、手術前の感染防止をより確実にするために、体毛及び肌の殺菌を行って除毛機器で除毛を行う。この除毛機器は、上記のように除毛機器自体を殺菌処理されて衛生的であるが、体毛及び肌の殺菌をすることができない。従って、除毛する前後に、体毛及び肌の殺菌処理を行わなければならず、その分だけ作業時間を必要としていた。
【０００５】
本発明は、上記問題を解決するためになされたものであり、その目的は、除毛をしながら肌等の殺菌処理を可能にすることができる除毛機器を提供することにある。
【課題を解決するための手段】
【０００６】
請求項１に記載の発明は、把持部と、除毛を行うための刃ブロックを着脱可能の取着した刃ヘッド部と、前記刃ブロックを駆動させるための駆動手段とを備えた除毛機器であって、前記刃ヘッド部に殺菌灯を設けた。
【０００７】
請求項１に記載の発明によれば、殺菌灯を刃ヘッド部に設けたので、刃ヘッド部から除毛する肌又は除毛した肌に殺菌効果のある光を出射することができることから、除毛しながら肌を殺菌でき、除毛作業時間の短縮及び別途、肌を殺菌するため道具が不要となる。
【０００８】
請求項２に記載の発明は、請求項１に記載の除毛機器において、前記殺菌灯は、前記刃ヘッド部の外側面であって、除毛する方向に対して反対側の方向の面に設けた。
請求項２に記載の発明によれば、除毛した後の肌に殺菌効果のある光を出射することができる。
【０００９】
請求項３に記載の発明は、請求項１又は２に記載の除毛機器において、前記殺菌灯は、前記刃ヘッド部の外側面であって、除毛する方向の面に設けた。
請求項３に記載の発明によれば、刃ヘッド部から除毛する毛及び除毛する側の肌に殺菌効果のある光を出射することができる。
【００１０】
請求項４に記載の発明は、請求項１〜３のいずれか１に記載の除毛機器において、前記殺菌灯は、出射する光の出射方向を調整する角度調整手段を設けた。
請求項４に記載の発明によれば、角度調整手段にて、殺菌灯からの出射する殺菌効果のある光の照射方向を最適な細菌位置に調整することができる。
【００１１】
請求項５に記載の発明は、請求項１〜４のいずれか１に記載の除毛機器において、前記駆動手段を駆動させるためのスイッチと、前記スイッチのオン操作に基づいて前記駆動手段を駆動及び前記殺菌灯を点灯させるとともに、前記スイッチのオフ操作に基づいて前記駆動手段を駆動停止及び前記殺菌灯を消灯させる制御手段とを備えた。
【００１２】
請求項５に記載の発明によれば、１つのスイッチで、刃ブロックの駆動と殺菌灯の点灯、即ち、除毛と殺菌が同時にでき、使い勝手が非常によい。
請求項６に記載の発明は、請求項５に記載の除毛機器において、前記制御手段は、タイマを備え、前記スイッチのオフ操作に基づいて前記駆動手段を駆動停止させるとともに、前記タイマを計時動作させ、前記タイマが予め定めた時間を計時した時、前記殺菌灯を消灯させる。
【００１３】
請求項６に記載の発明によれば、刃ブロックの駆動停止後も、一定時間、殺菌灯にて殺菌でき、除毛後の肌の殺菌もれを低減させることができる。
請求項７に記載の発明は、請求項１〜６のいずれか１に記載の除毛機器において、前記殺菌灯の発光量を調整する調整スイッチと、前記調整スイッチの操作量に基づいて、前記殺菌灯の点灯時の発光量を制御する発光量制御手段とを備えた。
【００１４】
請求項７に記載の発明によれば、調整スイッチを操作するだけで、発光量を変更して殺菌灯を点灯できため、その時々の肌の状態に応じて最適な殺菌が行える。
【発明の効果】
【００１５】
本発明によれば、除毛をしながら肌等の殺菌処理を可能にすることができる。
【図面の簡単な説明】
【００１６】
【図１】本実施形態の除毛機器を説明するための正面図。
【図２】同じく除毛機器を説明するための側面図。
【図３】同じく除毛機器を説明するための平面図。
【図４】同じく除毛機器の使用状態を示す説明図。
【図５】同じく除毛機器の電気的構成を示す電気ブロック回路図。
【図６】同じく各ブロック回路を説明するための出力波形図。
【図７】除毛機器の別例を説明するための図。
【発明を実施するための形態】
【００１７】
以下、本発明を具体化した除毛機器の一実施形態を図面に従って説明する。
図１に示すように、医療用の除毛機器１は、使用者が把持する把持部２と、該把持部２の先端部に設けられた刃ヘッド部３を有している。
【００１８】
把持部２は、有蓋四角筒状に形成され、基端開口部が、キャップ４にて閉塞されている。四角筒状の把持部２内には、駆動手段としてのモータＭ（図５参照）と電池（図示せず）が内蔵されている。
【００１９】
把持部２の先端部に形成した刃ヘッド部３は、把持部２の先端部で一旦くびれてから膨出し、先端側に延出形成され、図２に示すように、その正面３ａが把持部２の正面２ａと略平行となる平面をなし、その上面３ｂが背面３ｃに行くに従って把持部２側に傾斜する傾斜面をなしている。また、刃ヘッド部３の背面３ｃは、把持部２の背面２ｃと略平行となる平面をなし傾斜する上面３ｂによって把持部２の正面２ａの面積より小さくなっている。
【００２０】
刃ヘッド部３の上面３ｂには、刃ブロック５が、同刃ヘッド部３に対して着脱可能に取着されている。そして、本実施形態では、刃ブロック５は、刃ヘッド部３に装着した時、その正面５ａが刃ヘッド部３の正面３ａと、その上面５ｂが刃ヘッド部３の上面３ｂと、背面５ｃが刃ヘッド部３の背面３ｃとそれぞれ平行となる。
【００２１】
従って、刃ブロック５の正面５ａと上面５ｂのなす角度（刃ヘッド部３の正面３ａと上面３ｂのなす角度）は鋭角となる。
そして、刃ブロック５において、正面５ａと上面５ｂとが交差する前側先端縁には、櫛状の外刃６が突出形成されている。刃ブロック５内には、櫛状の外刃６に対応する図示しない内刃が設けられ、該内刃が前記モータＭの回転によって駆動して可動刃となって、外刃６と協働して、図４に示すように、体毛８を刈り取る、即ち、除毛するようになっている。
【００２２】
刃ヘッド部３の正面３ａであって中央先端よりには、透明の合成樹脂よりなる第１透過窓Ｗ１が設けられている。第１透過窓Ｗ１は、第１の紫外線発光ダイオード（以下、第１ＵＶＬＥＤという）９ａを収納配置した開口凹部を閉塞するようになっている。第１ＵＶＬＥＤ９ａは、殺菌効果のある紫外線を出射し、その第１ＵＶＬＥＤ９ａから出射された紫外線は、第１透過窓Ｗ１を介して外側に出射される。
【００２３】
図３に示すように、刃ヘッド部３の背面３ｃであって中央先端よりには、透明の合成樹脂よりなる第２透過窓Ｗ２が設けられている。
第２透過窓Ｗ２は、第２の紫外線発光ダイオード（以下、第２ＵＶＬＥＤという）９ｂを収納配置した開口凹部を閉塞するようになっている。第２ＵＶＬＥＤ９ｂは、殺菌効果のある紫外線を出射し、その第２ＵＶＬＥＤ９ｂから出射された紫外線は、第２透過窓Ｗ２を介して外側に出射される。
【００２４】
従って、図４に示すように、刃ブロック５の上面５ｂを、肌１０に付けて、同肌１０に沿って体毛８を除毛するとき、刃ブロック５の正面５ａと上面５ｂのなす角度が鋭角であるため、第１透過窓Ｗ１から出射する紫外線は、刈り取られる前の体毛８を照射し、第２透過窓Ｗ２から出射する紫外線は、刈り取られた後の肌１０を照射する。
【００２５】
前記把持部２の正面２ａには、スライド式の動作スイッチＳＷ１と、同じくスライド式の光量設定スイッチＳＷ２が設けられている。動作スイッチＳＷ１は、２位置にスライドさせるスイッチであって、図５及び図６に示すように、スライド操作位置に基づく操作信号ＳＧ１を出力する。
【００２６】
動作スイッチＳＷ１を、先端側にスライドさせると、動作スイッチＳＷ１は、Ｈレベルに立ち上がる操作信号ＳＧ１を出力し、モータＭを駆動させるとともに、第１ＵＶＬＥＤ９ａ及び第２ＵＶＬＥＤ９ｂを発光させることができる。反対に、動作スイッチＳＷ１は、基端側にスライドさせると、動作スイッチＳＷ１はＬレベルに立ち下がる操作信号ＳＧ１を出力し、モータＭを駆動停止させるとともに、第１ＵＶＬＥＤ９ａ及び第２ＵＶＬＥＤ９ｂを一定時間後に消灯させることができる。
【００２７】
光量設定スイッチＳＷ２は、同様に、２位置にスライドさせるスイッチであって、図５に示すように、スライド操作位置に基づく設定信号ＳＧ２を出力する。
光量設定スイッチＳＷ２を先端側にスライドさせると、光量設定スイッチＳＷ２は、Ｈレベルの設定信号ＳＧ２を出力し、第１ＵＶＬＥＤ９ａ及び第２ＵＶＬＥＤ９ｂの発光量を強くして第１ＵＶＬＥＤ９ａ及び第２ＵＶＬＥＤ９ｂを発光させることができる。反対に、光量設定スイッチＳＷ２を基端側にスライドさせると、光量設定スイッチＳＷ２は、Ｌレベルの設定信号ＳＧ２を出力し、第１ＵＶＬＥＤ９ａ及び第２ＵＶＬＥＤ９ｂの発光量を弱くして第１ＵＶＬＥＤ９ａ及び第２ＵＶＬＥＤ９ｂを発光させることができるようになっている。
【００２８】
次に、上記のように構成した除毛機器１に内蔵された電気的構成について説明する。
図５において、除毛機器１は、制御手段及び発光量制御手段としての制御回路１１、モータ駆動回路１２、発光素子駆動回路１３を備えている。制御回路１１は、動作スイッチＳＷ１と接続されて操作信号ＳＧ１を入力する。
【００２９】
制御回路１１は、操作信号ＳＧ１がＨレベルに立ち上がると、モータ駆動回路１２を介してモータＭを駆動させるためのＨレベルの駆動制御信号ＣＴ１を出力するともに、発光素子駆動回路１３を介して第１ＵＶＬＥＤ９ａ及び第２ＵＶＬＥＤ９ｂを発光させるためのＨレベルの駆動制御信号ＣＴ２を出力する。
【００３０】
また、制御回路１１は、操作信号ＳＧ１がＬレベルに立ち下がると、モータ駆動回路１２を介してモータＭを駆動停止させるためのＬレベルの駆動制御信号ＣＴ１を出力するとともに、同制御回路１１に内蔵したタイマ１４に計時動作を開始させるための駆動信号を出力する。
【００３１】
タイマ１４は、予め定めた時間を計時し、計時動作中はＨレベルのステート信号ＳＴを出力し、予め定めた時間を計時してタイムアップするとＬレベルのステート信号ＳＴを制御回路１１に出力する。制御回路１１は、このＨレベルからＬレベルに立ち下がったステート信号ＳＴに応答して、Ｌレベルの駆動制御信号ＣＴ２を出力して発光素子駆動回路１３を介して第１ＵＶＬＥＤ９ａ及び第２ＵＶＬＥＤ９ｂを消灯させるようになっている。
【００３２】
従って、第１ＵＶＬＥＤ９ａ及び第２ＵＶＬＥＤ９ｂは、動作スイッチＳＷ１をオフ操作してモータＭが停止しても、消灯することなく、一定の時間点灯し続けた後に消灯するようになっている。
【００３３】
制御回路１１は、光量設定スイッチＳＷ２と接続され設定信号ＳＧ２を入力する。光量設定スイッチＳＷ２を先端側にスライドさせた状態で、動作スイッチＳＷ１をオンさせると、第１ＵＶＬＥＤ９ａ及び第２ＵＶＬＥＤ９ｂは強い発光量で発光するようになっている。反対に、光量設定スイッチＳＷ２を、基端側にスライドさせた状態で、動作スイッチＳＷ１をオンさせると、第１ＵＶＬＥＤ９ａ及び第２ＵＶＬＥＤ９ｂは弱い発光量で発光するようになっている。
【００３４】
つまり、制御回路１１は、操作信号ＳＧ１に基づいて第１ＵＶＬＥＤ９ａ及び第２ＵＶＬＥＤ９ｂを点灯させる時、設定信号ＳＧ２に基づいて発光素子駆動回路１３を介して第１ＵＶＬＥＤ９ａ及び第２ＵＶＬＥＤ９ｂに供給する駆動電流の電流値を設定する。
【００３５】
制御回路１１は、設定信号ＳＧ２がＨレベルのとき、Ｈレベルの光量制御信号ＣＴ３を発光素子駆動回路１３に出力するようになっている。発光素子駆動回路１３は、このＨレベルの光量制御信号ＣＴ３に応答して第１ＵＶＬＥＤ９ａ及び第２ＵＶＬＥＤ９ｂに対して予め定めた第１基準電流値の駆動電流を供給するようにしている。
【００３６】
また、制御回路１１は、設定信号ＳＧ２がＬレベルのとき、Ｌレベルの光量制御信号ＣＴ３を発光素子駆動回路１３に出力するようになっている。発光素子駆動回路１３は、このＬレベルの光量制御信号ＣＴ３に応答して第１ＵＶＬＥＤ９ａ及び第２ＵＶＬＥＤ９ｂに対して予め定めた第２基準電流値の駆動電流を供給するようになっている。
【００３７】
ここで、第１基準電流値は、第２基準電流値より大きな値であって、第１基準電流値の電流を供給された第１ＵＶＬＥＤ９ａ及び第２ＵＶＬＥＤ９ｂの発光量は、第２基準電流値の電流を供給された時の第１ＵＶＬＥＤ９ａ及び第２ＵＶＬＥＤ９ｂの発光量より大きくなっている。
【００３８】
従って、光量設定スイッチＳＷ２をスライド設定することで、光量を設定でき、除毛する箇所に応じて光量を変更することで、刈り取られる前の体毛８の殺菌、刈り取られた後の肌１０の殺菌処理を効率よく行うことができる。
【００３９】
次に、上記のように構成した実施形態の効果を以下に記載する。
（１）上記実施形態によれば、殺菌効果のある紫外線を発光する第１ＵＶＬＥＤ９ａを刃ヘッド部３の正面３ａに設けた。そして、第１ＵＶＬＥＤ９ａが出射した紫外線を第１透過窓Ｗ１を介して出射させるようにした。従って、体毛８を除毛しながら、第１ＵＶＬＥＤ９ａを点灯させて、刈り取られる前の体毛８の殺菌することができる。つまり、刈り取る体毛８を殺菌しながら刈り取ることができる。
（２）上記実施形態によれば、殺菌効果のある紫外線を発光する第２ＵＶＬＥＤ９ｂを刃ヘッド部３の背面３ｃに設けた。そして、第２ＵＶＬＥＤ９ｂが出射した紫外線を第２透過窓Ｗ２を介して出射させるようにした。従って、体毛８を除毛しながら、第２ＵＶＬＥＤ９ｂを点灯させて、体毛８が刈り取られた後の肌１０を殺菌することができる。つまり、刈り取った後の肌１０を殺菌しながら体毛８を刈り取ることができる。
（３）上記実施形態は、光量設定スイッチＳＷ２を設け、光量設定スイッチＳＷ２をスライド設定することで、光量を設定できるようにした。従って、体毛８を刈り取る箇所に応じて適宜、光量を変更することで、最適な殺菌処理が行える。
（４）上記実施形態では、動作スイッチＳＷ１に連動して、第１ＵＶＬＥＤ９ａ及び第２ＵＶＬＥＤ９ｂを点灯させるようにした。従って、別途点灯させるだけのスイッチを設ける必要もなく、動作スイッチＳＷ１を操作するといった簡単な操作で体毛８及び肌１０を殺菌できる。また、モータＭを停止させた時、一定の時間後に第１ＵＶＬＥＤ９ａ及び第２ＵＶＬＥＤ９ｂを消灯させるようにしたので、第１ＵＶＬＥＤ９ａ及び第２ＵＶＬＥＤ９ｂを消灯させるのを忘れて第１ＵＶＬＥＤ９ａ及び第２ＵＶＬＥＤ９ｂが無駄に点灯し続けることはない。
（５）上記実施形態では、動作スイッチＳＷ１をオフ操作後、一定の時間、第１ＵＶＬＥＤ９ａ及び第２ＵＶＬＥＤ９ｂを点灯させるようにした。従って、除毛処理を終了したあと、第１ＵＶＬＥＤ９ａ及び第２ＵＶＬＥＤ９ｂから出射する紫外線で除毛機器１を殺菌でき、清潔に保つことができる。
【００４０】
尚、上記実施形態は以下のように変更してもよい。
・上記実施形態では、動作スイッチＳＷ１に連動して第１ＵＶＬＥＤ９ａ及び第２ＵＶＬＥＤ９ｂを点滅させた。これを、第１ＵＶＬＥＤ９ａ及び第２ＵＶＬＥＤ９ｂを点灯させるための点灯スイッチを動作スイッチＳＷ１とは別に、第１ＵＶＬＥＤ９ａ及び第２ＵＶＬＥＤ９ｂを点滅させるためだけのスイッチを設けて実施してもよい。殺菌処理をしないで、即ち、第１ＵＶＬＥＤ９ａ及び第２ＵＶＬＥＤ９ｂを点灯させないで除毛することができるとともに、途中から点灯させて殺菌処理することができる。
【００４１】
・上記実施形態では、第１ＵＶＬＥＤ９ａと第２ＵＶＬＥＤ９ｂの２つを備えた除毛機器１に具体化したが、いずれか一方のみを設けて実施してもよい。
・上記実施形態では、一度使用したら刃ブロック５を交換できるように、刃ブロック５を刃ヘッド部３に対して着脱可能にしたが、電気かみそりのように刃ブロック５が交換できないように、刃ブロックを刃ヘッド部３に対して着脱不能にした除毛機器に具体化してもよい。
【００４２】
・上記実施形態では、動作スイッチＳＷ１をオフして一定時間後に第１ＵＶＬＥＤ９ａ及び第２ＵＶＬＥＤ９ｂを消灯させるようにした。これを、動作スイッチＳＷ１のオフ動作でモータＭの停止と同時に消灯させるようにしてもよい。
【００４３】
・上記実施形態では、刃ヘッド部３に取着した第１及び第２透過窓Ｗ１，Ｗ２を介して出射する紫外線は、刃ヘッド部３の正面３ａ及び背面３ｃに対してその出射角度が一義的に決まっていた。これを、図７に示すように、向きをかえることによって出射角度を変更できる第１透過窓Ｗ１及び第２透過窓Ｗ２を、刃ヘッド部３に対して回動調整できるように設ける。そして、第１透過窓Ｗ１及び第２透過窓Ｗ２の両側に設けた角度調整手段としての操作部１８を操作することによって、第１透過窓Ｗ１及び第２透過窓Ｗ２を刃ヘッド部３に対して回動調整して出射角度を変更するようにして実施してもよい。これによって、その時々で最適な箇所に殺菌処理をすることができる。また、除毛する前の肌１０に紫外線を照射せて殺菌処理することもできる。
【符号の説明】
【００４４】
１…除毛機器、２…把持部、２ａ…正面、２ｃ…背面、３…刃ヘッド部、３ａ…正面、３ｂ…上面、３ｃ…背面、５…刃ブロック、５ａ…正面、５ｂ…上面、５ｃ…背面、６…外刃、８…体毛、９ａ…第１ＵＶＬＥＤ（第１の紫外線発光ダイオード）、９ｂ…第２ＵＶＬＥＤ（第２の紫外線発光ダイオード）、１０…肌、１１…制御回路、１２…モータ駆動回路、１３…発光素子駆動回路、１４…タイマ、１８…操作部、Ｍ…モータ、Ｗ１…第１透過窓、Ｗ２…第２透過窓、ＳＷ１…動作スイッチ、ＳＷ２…光量設定スイッチ。
【図１】
2010213832.tif 000003
【図２】
2010213832.tif 000004
【図３】
2010213832.tif 000005
【図４】
2010213832.tif 000006
【図５】
2010213832.tif 000007
【図６】
2010213832.tif 000008
【図７】
2010213832.tif 000009